(57)【要約】【課題】本発明は、金属ダクトに配設する際に外観を向上させることができるとともに金属ダクトが敷設されている空間の意匠性も向上させることができる照明器具を提供する。【解決手段】本実施形態によれば、点灯装置４０の係合部材４２と器具本体２０と係止孔２６とが係止することで機械的に接続される。したがって、金属ダクト５０を介しての配置が可能であるので、金属ダクト５０から突出する器具本体２０を薄形化することができ、さらに照明器具１０を敷設する空間の意匠性を高めることができる。【選択図】図４
2006185600.tif 000002
【特許請求の範囲】
【請求項１】
係合部を有し、光源が配設可能である器具本体と；
長手方向両端部に器具本体の係合部に係合可能である一対の係合部材を有し、金属ダクトを介して器具本体と離間して配置される光源を点灯させための点灯装置と；
を具備することを特徴とする照明器具。
【請求項２】
器具本体は、金属ダクト側とは反対側に形成される光源からの光が投光可能な投光開口と、この投光開口側から金属ダクト側へ立上る一対の側壁と、この側壁から互いに対向するにように連続して形成されるとともに係合部が形成されている上板部とを有し、光源と点灯装置とを電気的に接続する電気的接続コードが、前記側壁と前記上板部との間に形成された配線収納部内に収納されていることを特徴とする請求項１記載の照明器具。
【発明の詳細な説明】
【技術分野】
【０００１】
本発明は、金属ダクトに配設される照明器具に関する。
【背景技術】
【０００２】
従来、照明器具による照明場所を任意に調整可能とするために、照明器具が任意の位置に取付可能であるとともに、照明器具がいずれの取付位置でも給電可能とする金属ダクトが知られている。
【０００３】
この金属ダクトは、天井面などに一本又は複数本の金属ダクトを任意に設置し、金属ダクト本体の内側には長手方向に沿って給電用の対の導電部が配設され、これら導電部と照明器具側の対の端子とが接続して照明器具のいずれの取付位置でも給電可能としているものである。
【０００４】
そして、このような金属ダクトに配設される照明器具としては、例えば直管形蛍光ランプからなるランプを保持する一対のランプソケット及びランプの光を反射する反射部材たる反射板を有し金属ダクトに取り付けられる灯具とを備えているものが知られている（例えば特許文献１参照。）。
【０００５】
そして、上記灯具は、鋼板製の器具本体と、長手方向に直交する断面が上向きに開放したコ字状に形成され器具本体に取着される鋼板製の反射板と、それぞれランプソケットが取着され器具本体の長手方向の両端部に設けられたソケット台とを備え、金属ダクトに着脱自在に取り付けるための金属ダクト用プラグも取着されているというものである。
【特許文献１】特開２００４−１１１２８１号公報
【発明の開示】
【発明が解決しようとする課題】
【０００６】
しかしながら、従来の照明器具は、器具本体内にランプを点灯させる安定器からなる点灯装置が配設されており、点灯装置は反射板によって覆われて外部から見えないようになっているものであるので、金属ダクトから突出する照明器具の幅寸法が大きくなってしまうものであった。
【０００７】
すなわち、点灯装置は、上下方向における幅寸法が大きいものであったので、その点灯装置を収納する器具本体が必然的に大形化してしまうものである。したがって、このような器具本体を備える照明器具を金属ダクトへ配設した場合には、金属ダクトから下方に当該照明器具を構成する殆どの部材が位置する構造であったので、外観上好ましいものではなかった。
【０００８】
本発明は、上記に鑑みなされたものであり、金属ダクトに配設する際の外観を向上させることができるとともに、金属ダクトが敷設されている空間の意匠性も向上させることができる照明器具を提供することを目的とする。
【課題を解決するための手段】
【０００９】
請求項１記載の照明器具は、係合部を有し、光源が配設可能である器具本体と；長手方向両端部に器具本体の係合部に係合可能である一対の係合部材を有し、金属ダクトを介して器具本体と離間して配置される光源を点灯させための点灯装置と；を具備することを特徴とする。
【００１０】
光源は、蛍光ランプ、ＬＥＤ、白熱電球等いかなる形態のものでもよく、要するに発光作用を有するものであれば、構成、構造及び発光原理は特に限定しない。また、形状も特に限定されるものではなく、例えば蛍光ランプであれば、直管、円環状及び多角形状であってもよいし、単管構造や多重管構造であってもよい。
【００１１】
係合部は、例えば嵌合、係止、係合又は接合状態等も含むものであり、さらに螺子等による固着手段によって固着されてもよりものである。要するに,点灯装置と器具本体とが機械的に保持されている構成であればどのような形態であってもよい。
【００１２】
なお、金属ダクトには、いわゆる金属製線ぴ等も含まれるものである。
【００１３】
本発明によれば、点灯装置が器具本体と金属ダクトを介して配置されていることにより、金属ダクトから突出する器具本体を薄形化することができるので、照明装置を敷設する空間の意匠性を高めることができる。
【００１４】
請求項２記載の照明器具は、請求項１記載の照明器具において、器具本体は、金属ダクト側とは反対側に形成される光源からの光が投光可能な投光開口と、この投光開口側から金属ダクト側へ立上る一対の側壁と、この側壁から互いに対向するにように連続して形成されるとともに係合部が形成されている上板部とを有し、光源と点灯装置とを電気的に接続する電気的接続コードが、前記側壁と前記上板部との間に形成された配線収納部内に収納されていることを特徴とする。
【００１５】
本発明によれば、点灯装置の係合部材と上板部の係合部とで係合することにより、係合箇所が外部から見え難くなっており、外観を損ねることがない。
【００１６】
また、電気的接続コードは、配線収納部に収納されていることで、電気的接続コードが器具本体外へ露出することがないので、点灯装置と器具本体とを離間配置した場合でも外観を損ねることがない。
【発明の効果】
【００１７】
請求項１記載の発明によれば、点灯装置が器具本体と金属ダクトを介して配置されていることにより、金属ダクトから突出する器具本体を薄形化することができるので、照明器具を敷設する空間の意匠性を高めることができる。
【００１８】
請求項２記載の本発明によれば、点灯装置の係合部材と上板部の係合部とで係合することにより、係合箇所が外部から見え難くなっており、外観を損ねることがない。
【００１９】
また、電気的接続コードは、配線収納部に収納されていることで、電気的接続コードが器具本体外へ露出することがないので、点灯装置と器具本体とを離間配置した場合でも外観を損ねることがない。
【発明を実施するための最良の形態】
【００２０】
本発明の一実施形態を図面を参照して説明する。図１は、第一実施形態の照明器具を示す斜視図、図２は同じく照明器具を示す断面図、図３は同じく照明器具の要部を拡大した一部拡大図、図４は同じく照明器具を金属ダクトに配設した状態を示す斜視図である。
【００２１】
各図において、照明器具１０は、例えば天井面と平行となるように配設され、照明器具１０を任意の位置に取付可能とするとともに照明器具１０がいずれの取付位置でも給電可能とした金属ダクト５０に設置される照明器具で、例えば店舗等の施設に設置されるものであり、器具本体２０、反射板２１、ランプソケット３０、点灯装置４０、及びランプ８などから構成されている。
【００２２】
器具本体２０は、光を反射する白色塗装をなした金属板などにて形成され、下面を投光開口２２とした薄箱状をなし、この投光開口２２の長手方向に沿った両側部から金属ダクト５０側へ立上る一対の側壁２３、２３と、投光開口２２の長手方向の両端部に設けられる端板部２４と、一対の側壁２３、２３から互いに対向するように連続して水平に延設された上板部２５、２５とを備えている。
【００２３】
また、図１、３に示すように、上板部２５、２５には、器具本体２０の長手方向における端板部２４、２４側に係合部である係止孔２６が４個所に形成されている。
【００２４】
さらにまた、器具本体２０には、投光開口２２に対向するように側壁２３、２３から連続して傾斜状ないし曲面状に形成されている反射板２１が設けられている。そして、図２に示すように、側壁２３、上板部２５及び反射板２１の裏側とで形成されている領域に配線収納部２７が形成されている。
【００２５】
ランプソケット３０は、それぞれ器具本体２０の内側の両端部に位置して取り付けられ、これらランプソケット３０間に装着された高周波点灯専用の細径の直管形の蛍光ランプであるランプ８が、反射板２１の光学的に対向するようになっている。
【００２６】
点灯装置４０は、電子安定器である、いわゆるインバータを内部に収納するケース４１を備えるものである。すなわち、インバータ部を形成する図示しない電気部品等が実装された点灯回路部は、当該ケース４１の内部に収納保持されているものであって、ケース４１からは、コード７がケース４１下面の図示しないコード導出孔から導出されており、このコード７の先端には、例えばコネクタが設けられており、器具本体２０のコネクタ受けと接続することで先のランプソケット３０と前記点灯回路部とが電気的に接続されるようになっているものである。
【００２７】
また、点灯装置４０は、後述する金属ダクト５０の導電部から点灯装置部への電源供給を受けるための図示しない接続端子がケース４１の略中央部の下面から突出するように設けられているものである。
【００２８】
またケース４１の長手方向両端部側には、器具本体の２０の係止孔２６と係止可能な係合部材４２、４２が設けられている。この係合部材４２は、図２，３に示すように断面コ字状に形成されているものであって、ケース４１の両端部と連続するように設けられる平板部４３と、平板部４３の両側から下方へ若干広がるように延設する側板部４４、４４側板部から水平方向に延設し、さらに上方へ立ち上がる係止片部４５、４５とを備えるものである。なお、係止片部４５、４５間の寸法は、器具本体２０の対の係止孔２６、２６との離間寸法よりも広くなるように形成されているものである。
【００２９】
金属ダクト５０は、図４に示すように、断面略コ字形で金属製である長尺のダクト本体５１を有し、このダクト本体１６には例えば設置面である天井面と対向するように設けられ得る開口部５１が長手方向に沿って形成されている。
【００３０】
また、金属ダクト５０の内側の両側位置には図示しない対の導体保持部が長手方向に沿って形成され、これら各導体保持部には対の導電部が長手方向に沿って取り付けられているものである。
【００３１】
本実施形態の照明器具１０の取付方法について説明する。
【００３２】
まず、天井面等から吊設されている金属ダクト５０の開口部５２と対向するように点灯装置４０を配設する。このとき、点灯装置４０のケース４１の短方向における幅寸法は、開口部５２の短方向における幅寸法よりも大きくなるように形成されているので、点灯装置４０が金属ダクト５０上に載置される形態となる。そして、点灯装置４０の金属ダクト５０における配設個所を特定した後、金属ダクト５０の導電部と点灯装置４０の接続端子とを接触させることで、点灯装置４０の点灯回路部へ電源が供給された状態となるとともに、点灯装置４０の位置が固定する。
【００３３】
次に、点灯装置４０と器具本体２０の取付になるが、まず、点灯装置４０の長手方向両端側に設けられている一方の係合部材４２の側板部４４、４４とを互いに近づく方向に間隔を狭めるとともに、係止片部４５、４５が器具本体２０の配線収納部２７内へ一旦没入するように器具本体２０を傾ける。そして、係止片部４５、４５の先端を器具本体２０の係止孔２６、２６へ下側から挿通させた後に、側板部４４、４４とを互いが近づく方向に狭めていた状態から解放すると、側板部４４、４４が弾性力によって互いに外側へ広がるように作用することで係止孔２６、２６と係止片部４５、４５との係止状態がより強固になって係合する。同様に、他方の係合部材４２の係止片部４５、４５も対応する係止孔２６、２６に係合させることで、点灯装置４０と器具本体２０とが機械的に保持される構成となる。
【００３４】
一方、点灯装置４０と器具本体２０に設けられたランプソケット３０との電気的接続については、点灯装置４０のケース４１から導出されているコード７の先端である例えばコネクタを金属ダクト５１に形成された図示しないコード挿通孔を介して器具本体２０に設けられているコネクタ受けへと接続をする。同様に、他方のランプソケット３０にもコード７を接続する。これにより、点灯装置４０とランプソケット３０との電気的接続が行えることとなる。さらに、この際、器具本体２０側のコード７は、図２で示した器具本体２０に形成されている配線収納部２７に収納するように配線を行う。
【００３５】
本実施形態によれば、点灯装置４０が器具本体２０と金属ダクト５０を介して配置されていることにより、金属ダクト５０から突出する器具本体２０を薄形化することができるので、照明器具１０を敷設する空間の意匠性を高めることができる。
【００３６】
また、点灯装置４０と器具本体２０との機械的接続は、係合部材４２の係止片部４５と係止孔２６とを係止させることで可能であるので、接続構造を容易に設けることができるとともに、接続作業が煩雑とならずに作業性がよいものとなる。
【００３７】
また、器具本体２０は一対の側壁２３、２３と、長手方向の両端部に設けられる端板部２４と、一対の側壁２３、２３から互いに対向するように連続して水平に延設された上板部２５、２５と、投光開口２２に対向するように側壁２３、２３から連続して傾斜状ないし曲面状に形成されている反射板２１とを一体で形成することができるので、器具本体２０の薄形化を容易に実現することができるとともに、製造も容易とすることができ、製造コストを抑制することができる。
【００３８】
また、点灯装置４０は金属ダクト５０上に載置される形態で設けられていることにより、金属ダクト５０と点灯装置４０とを電気的に接続する点灯装置４０側の対の端子に対する負荷が軽減されるので、電気的接続の信頼性を向上させることができる。
【００３９】
また、点灯装置４０の係合部材４２と上板部２５の係止孔２６とで係合させることにより、点灯装置４０と器具本体２０とを機械的に接続する係合箇所が外部から見え難くなっており、外観を損ねることがない。
【００４０】
また、点灯装置４０から導出されるコード７は、器具本体２０の配線収納部２７に収納されていることで、コード７が器具本体２０外へ露出することを防いでいるので、点灯装置４０と器具本体２０とを離間配置した場合でも外観を損ねることがない。
【００４１】
また、同じく、コード７が器具本体２０外へ露出することを防いでいるので、器具外配線となならず、特別なコードを用いることなく点灯装置４０と器具本体との電気的接続を実現することができる。
【図面の簡単な説明】
【００４２】
【図１】本実施形態の照明器具を示す断面図
【図２】同上図１の照明器具を示す断面図
【図３】同上図１の照明器具の要部を拡大した一部拡大図
【図４】同上図１の照明器具を金属ダクトに配設した状態を示す斜視図
【符号の説明】
【００４３】
１０・・・照明器具、２０・・・器具本体、２２・・・投光開口、２３・・・側壁、２５・・・上板部、２６・・・係合部である係止孔、２７・・・配線収納部、４０・・・点灯装置、４２・・・係合部材、
【図１】
2006185600.tif 000003
【図２】
2006185600.tif 000004
【図３】
2006185600.tif 000005
【図４】
2006185600.tif 000006